(57)【要約】【課題】手持ちのパターを利用して，正しい構え，正しい軌道でのシャフトの操作を習得するためのゴルフパット練習器具を提供すること。【解決手段】本発明のゴルフパット練習器具１０は，直線状の基準辺１７を有する平板形状であり，表（おもて）面に，ゴルフボール大の円１４，１５または円弧と，基準辺１７に垂直なサイトライン１６との少なくとも一方を含む図形が描かれており，表面以外の箇所に，両面テープ貼付箇所が設けられており，ゴルフパターのヘッドの後面側に，両面テープ貼付箇所で取り付けて使用するものである。【選択図】図１
2008067990.tif 000002
【特許請求の範囲】
【請求項１】
直線上の基準辺を有する平板形状であり，
表（おもて）面に，ゴルフボール大の円または円弧と，前記基準辺に垂直なサイトラインとの少なくとも一方を含む図形が描かれており，
前記表面以外の箇所に，両面テープ貼付箇所が設けられており，
ゴルフパターのヘッドの後面側に，前記両面テープ貼付箇所で取り付けて使用するものであることを特徴とするゴルフパット練習器具。
【請求項２】
請求項１に記載のゴルフパット練習器具において，
前記両面テープ貼付箇所が，前記表面の裏側の裏面に設けられているとともに，そこに両面テープが貼り付けられており，
前記裏面に，前記基準辺と平行な折り曲げ用溝が形成されていることを特徴とするゴルフパット練習器具。
【発明の詳細な説明】
【技術分野】
【０００１】
本発明は，ゴルフパターに取り付けてパットの練習に用いる練習器具に関する。さらに詳細には，正しい構えの姿勢および正しい軌道を習得するためのゴルフパット練習器具に関するものである。
【０００２】
ゴルフのパットでは，ターゲットに対して正しく構え，正しい軌道でヘッドを移動させることが重要である。そのために，テイクバックの方向を安定させることが望ましい。例えば，特許文献１では，胴部の両サイドに平面部分を有し，胴部の中央部にはセンターラインを設けたゴルフパターが開示されている。このゴルフパターによれば，テイクバックの方向へのシャフト操作の安定化および円滑化が実現されるとされている。
【特許文献１】特開１０−１２７８３４号公報
【発明の開示】
【発明が解決しようとする課題】
【０００３】
しかしながら，前記した従来のゴルフパターでは，シャフトがパターヘッドの前部中央に設けられており，ヘッドのフェースやユーザの手等によってボールが見にくいという問題点があった。さらには，手持ちのパターによって正しい軌道を習得したいという要望も大きいものであった。
【０００４】
本発明は，前記した従来の技術が有する問題点を解決するためになされたものである。すなわちその課題とするところは，手持ちのパターを利用して，正しい構え，正しい軌道でのシャフトの操作を習得するためのゴルフパット練習器具を提供することにある。
【課題を解決するための手段】
【０００５】
この課題の解決を目的としてなされた本発明のゴルフパット練習器具は，直線上の基準辺を有する平板形状であり，表（おもて）面に，ゴルフボール大の円または円弧と，基準辺に垂直なサイトラインとの少なくとも一方を含む図形が描かれており，表面以外の箇所に，両面テープ貼付箇所が設けられており，ゴルフパターのヘッドの後面側に，両面テープ貼付箇所で取り付けて使用するものである。
【０００６】
本発明のゴルフパット練習器具によれば，ゴルフパターのヘッドの後面側に，両面テープ貼付箇所で取り付けて使用するので，取り付け相手のゴルフパターを選ばず，取り付け取り外しは容易である。このとき，直線上の基準辺を有するので，正しい取付位置や取付角度に取り付けることも容易である。さらに，表面に，ゴルフボール大の円または円弧と，基準辺に垂直なサイトラインとの少なくとも一方を含む図形が描かれているので，これらの図形によって正しい構え，正しい軌道を容易に認識できる。従って，手持ちのパターを利用して，正しい構え，正しい軌道でのシャフトの操作を習得することができる。なおここでは，ゴルフボール大とは，ゴルフボールの大きさの０．７〜１．３倍の範囲内をいう。
【０００７】
さらに本発明では，両面テープ貼付箇所が，表面の裏側の裏面に設けられているとともに，そこに両面テープが貼り付けられていることが望ましい。このようになっていれば，表面に描かれている図形を乱すことなく，両面テープによってゴルフパターの好みの位置に貼り付けることができる。
またあるいは，裏面に，基準辺と平行な折り曲げ用溝が形成されていることが望ましい。このようになっていれば，ゴルフパット練習器具を基準辺に平行な溝に沿って容易に折り曲げることができる。従って，正しい軌道を３次元的に認識できる。
【発明の効果】
【０００８】
本発明のゴルフパット練習器具によれば，手持ちのパターを利用して，正しい構え，正しい軌道でのシャフトの操作を習得することができる。
【発明を実施するための最良の形態】
【０００９】
以下，本発明を具体化した最良の形態について，添付図面を参照しつつ詳細に説明する。本形態は，ユーザの手持ちのパターに取り付けて使用するゴルフパット練習器具である。
【００１０】
本形態のゴルフパット練習器具１０の表（おもて）面図を図１に，裏面図を図２にそれぞれ示す。ゴルフパット練習器具１０の平面形状は，長方形の一短辺を円弧形状としたものであり，図中左辺（円弧形状とされていない側の短辺）が，基準辺１１である。また，中央部の長辺方向長さは，ゴルフボールの直径の２倍よりやや大きい程度である。このゴルフパット練習器具１０は，厚さ０．２〜１．０ｍｍの平板形状に形成されている。その材質は，アルミニウム等の軽量で比較的柔らかな金属板が好ましい。あるいは，樹脂板でもよい。
【００１１】
図１に示すように，ゴルフパット練習器具１０の表面にはシール１２が貼着されている。このシール１２は，ゴルフパット練習器具１０の表面に，パットを行う上でガイドとなる図形を表示するためのものである。ここでは，ゴルフパット練習器具１０の表面全面に貼り付けているが，必要な図柄が適切な位置に表示できれば，全面に貼着しなくてもかまわない。シール１２は，紙製あるいは樹脂シート製等の薄く軽い素材で形成されている。シール１２としては，水濡れや摩擦に強い丈夫なものが望ましく，また，発色の鮮明なものが望ましい。
【００１２】
ここで，シール１２に描かれている図形について説明する。例えば，図１に示した例では，ゴルフボール大の円１４，１５と，その円１４，１５の直径の１つであるサイトライン１６が描かれている。サイトライン１６は，ゴルフパット練習器具１０の長辺に平行で，基準辺１１に垂直な線である。さらに，シール１２は円１４，１５の内外で別々の色に色分けされている。例えば，円内は白で，円外の背景部分はグレー等とされている。なお，サイトライン１６は，パターに取り付けられた際に，パット軌道を示すものである。従って，このサイトライン１６が特に分かりやすいように描かれているとよい。
【００１３】
また，ゴルフパット練習器具１０の裏面には，図２に示すように，基準辺１１に沿って，テープ貼付枠１８が描かれている。そしてその中に，両面テープ１９が取り付けられている。両面テープ１９は，何度も貼ったりはがしたりできるものが望ましい。また，テープ貼付枠１８は，基準辺１１の面（側面）に設けられても良い。あるいは，基準辺１１に沿ってゴルフパット練習器具１０を小さい幅で折り曲げ，テープ貼付枠１８をゴルフパット練習器具１０の表面に対して角度を持たせたものとしてもよい。
【００１４】
次に，本形態のゴルフパット練習器具１０の使用方法について説明する。このゴルフパット練習器具１０は，図３に示すように，手持ちのパター２０に取り付けて使用する。ゴルフパット練習器具１０の裏面に設けられた両面テープ１９によって，パター２０の後面側の適切な箇所に貼り付ける。従って，取付および取り外しはごく容易であり，何度でも貼り直しができる。両面テープ１９が劣化してきたら，取り外して，テープ貼付枠１８内に新たなテープを貼り付ければよい。
【００１５】
なおこのとき，ゴルフパット練習器具１０の基準辺１１が，ヘッドフェースと平行になるように取り付ける。また，サイトライン１６の延長線上にヘッドフェースの中央部がくるようにすると良い。このようにすれば，シール１２に描かれているサイトライン１６は，ヘッドフェースに対して垂直な線となるので，パット軌道を示すことができる。ユーザは，そのサイトライン１６がボールとターゲットとを結ぶ線の延長線になるように構えることにより，ターゲットに対して正しく構えることができる。このようにすれば，パット軌道が正しく引けるので，正しくフォロースルーが出せる。
【００１６】
さらに，ゴルフパット練習器具１０はアルミ製の薄板であるので，図４に示すように，両面テープ１９以外の部分を曲げることができ，曲げた形状で維持させることができる。例えば，その部分がテイクバックの正しい軌道を示す形状となるように曲げておくことができる。ユーザは，その曲げた形状に沿ってテイクバックおよびフォロースローをすれば，円弧軌道の正しいパット軌道となる。従って，正しい軌道を習得し，ストロークの再現性を高めることができる。
【００１７】
なお，図４では，かなり極端に曲げた状態を示している。実際の曲げ方の程度は，テイクバック時の円弧軌道の程度とし，ユーザが自分の好みに合わせて決めればよい。あるいは，上級者やプロゴルファー等に曲げてもらうのもよい。さらに，図５に示すように，ゴルフパット練習器具１０の裏側に基準辺１１に平行な溝２１を入れたものとしてもよい。このようにしておけば，図６に示すように，基準辺１１に平行な折り目により曲げることは容易である。この場合，円弧状ではなく折れ線状とはなるが，ユーザの目の位置からすれば大差ないものとなる。また，さらに複数の溝を設ければ，より曲線に近い曲げ方ができる。
【００１８】
このようにして，ユーザは，本形態のゴルフパット練習器具１０を貼り付けたパター２０を使用して，パットの練習を行う。その際，サイトライン１６を使用して正しく構え，曲げ形状に沿ってパット軌道を取ることにより，正しいストロークを習得できる。さらに，シール１２に描かれている円１４，１５の視覚的効果により，ボールを押すようなフィーリングを体感できる。これにより，ボールの球足が向上する。
【００１９】
なお，ここではボール２個分の長さのゴルフパット練習器具１０としたが，図７に示すように，３個分の長さのゴルフパット練習器具３０としてもよい。この場合には，接着箇所以外の部分がより長く，サイトライン１６がより見やすいものとなる。その一方で，パター２０の重心の元の位置からのズレが，図１のゴルフパット練習器具１０に比較して大きくなる。従って，ストロークの障害とならないために，より薄い板で形成することが望ましい。
【００２０】
また，シール１２に描かれる絵柄は，図１のものに限らない。円の色は白に限らないし，背景の色はグレーでなくてもよい。また，ある程度上達したユーザ向けには，サイトライン１６を省いて，円１４，１５のみとしたものでもよい。またあるいは，図８に示すように，白い円と白以外の色の円とを混ぜたものでもよい。また，図９に示すように，サイトライン１６の有る円と無い円とを混ぜたものでもよい。また，図１０や図１１に示すように，連続した１つの長円としてもよい。
【００２１】
あるいは，図１２に示すように，長円の中にさらに円が描かれているものでもよい。サイトライン１６の配置も，円や長円の内部のみに限らず，背景部分まで延長されたものでもよい。また，完全な円でなく，破線の円や複数の円弧を並べたものであったり，背景との色分けのみで円自体を描いていないものでもよい。また，円内を濃色で塗りつぶし，サイトライン１６を白線としてもよい。あるいは，円を描くことなく，サイトライン１６のみとしてもよい。たとえば，図１３に示すように，濃色の背景に白線を描いたものでもよい。
【００２２】
以上詳細に説明したように，本形態のゴルフパット練習器具１０によれば，手持ちのパター２０に接着されることによって，パット軌道を視覚的に示すことができる。特に，平板１１を曲げることにより，パット軌道を３次元的に示すことができる。従って，このパット軌道に沿ってパター２０を振るようにすれば，正しいストロークを習得できる。これにより，手持ちのパター２０を利用して，正しい構え，正しい軌道でのシャフトの操作を習得するためのゴルフパット練習器具１０となっている。
【００２３】
なお，本形態は単なる例示にすぎず，本発明を何ら限定するものではない。したがって本発明は当然に，その要旨を逸脱しない範囲内で種々の改良，変形が可能である。
例えば，アルミ製の平板であるとしたが，軽量かつ変質しにくい材質で，曲げることが容易で曲げ状態を維持できるものであれば，アルミに限るものではない。例えば，アルミ製の枠に柔軟な樹脂製のフィルムを貼り付けたものでもよい。また，両面テープ１９は，図２に示したような１つながりのものに限らず，複数に分割されているものでもよい。パター２０の形状に合わせて，必要箇所のみを接着することができる。また，両面テープ１９の取付箇所は，ゴルフパット練習器具１０の裏面に限らず，基準辺１１の端面上でもよい。また，ゴルフパット練習器具１０の表面にシール１２を貼着するとしたが，平板に直に着色してもよい。
【図面の簡単な説明】
【００２４】
【図１】本形態のゴルフパット練習器具の表面を示す平面図である。
【図２】本形態のゴルフパット練習器具の裏面を示す底面図である。
【図３】ゴルフパット練習器具をパターに取り付けて使用する状態を示す説明図である。
【図４】ゴルフパット練習器具を曲げて使用する状態を示す説明図である。
【図５】ゴルフパット練習器具を示す側面図である。
【図６】ゴルフパット練習器具を曲げた状態を示す説明図である。
【図７】長いタイプのゴルフパット練習器具をパターに取り付けて使用する状態を示す説明図である。
【図８】ゴルフパット練習器具の表面の別の例を示す平面図である。
【図９】ゴルフパット練習器具の表面の別の例を示す平面図である。
【図１０】ゴルフパット練習器具の表面の別の例を示す平面図である。
【図１１】ゴルフパット練習器具の表面の別の例を示す平面図である。
【図１２】ゴルフパット練習器具の表面の別の例を示す平面図である。
【図１３】ゴルフパット練習器具の表面の別の例を示す平面図である。
【符号の説明】
【００２５】
１０  ゴルフパット練習器具
１１  基準辺
１４，１５  円
１６  サイトライン
１８  テープ貼付枠
１９  両面テープ
２１  溝
【図１】
2008067990.tif 000003
【図２】
2008067990.tif 000004
【図３】
2008067990.tif 000005
【図４】
2008067990.tif 000006
【図５】
2008067990.tif 000007
【図６】
2008067990.tif 000008
【図７】
2008067990.tif 000009
【図８】
2008067990.tif 000010
【図９】
2008067990.tif 000011
【図１０】
2008067990.tif 000012
【図１１】
2008067990.tif 000013
【図１２】
2008067990.tif 000014
【図１３】
2008067990.tif 000015